(57)【要約】【課題】  単一モデムが、低い複雑さで多くのＤＳＬ規格を活用できるようにする伝送システム用モデムを提供する。【解決手段】  いくつかの等間隔の離散トーンに対するＱＡＭ変調を使用するデジタル加入者回線が、高い伝送速度で、ｐが２の累乗である、４．３１２５ｋＨｚ間隔のＮ＝２０４８／ｐトーンまたは４０９６／ｐトーンを使用する。【選択図】  図５
2004328797.tif 000002
【特許請求の範囲】
【請求項１】
４．３１２５ｋＨｚ間隔のＮ＝４０９６／ｐトーン、ここでｐは２の累乗（ｐ＝１，２，４，８，・・・）、に対するＱＡＭ変調を使用するデジタル加入者回線伝送システムであって、少なくとも２つの動作モードを有し、前記モードが、
Ｎ個すべてのトーンが有意な値を搬送するのに使用されるＶＤＳＬ規格動作モード、および
前記Ｎ個のトーンのなかの、ｎトーンだけが、有意な値を搬送するのに使用される他の規格動作モードであるシステムに用いられるモデムにおいて、
前記モデムは、
受信信号の規格を認識する手段と、
モデムを受信信号の規格と同じ規格で動作させる動作手段とを有することを特徴とするモデム。
【請求項２】
４．３１２５＊ｑｋＨｚ間隔のＮ＝４０９６／ｐトーン、ここでｐ及びｑは２の累乗（ｐ＝１，２，４，８，・・・；ｑ＝１，２，４，８，・・・）、に対するＱＡＭ変調を使用するデジタル加入者回線伝送システムであって、少なくとも２つの動作モードを有し、前記モードが、
Ｎ個すべてのトーンが有意な値を搬送するのに使用されるＶＤＳＬ規格動作モード、および
前記Ｎ個のトーンのなかの、ｎトーンだけが、有意な値を搬送するのに使用される他の規格動作モードであるシステムに用いられるモデムにおいて、
前記モデムは、
受信信号の規格を認識する手段と、
モデムを受信信号の規格と同じ規格で動作させる動作手段とを有することを特徴とするモデム。
【請求項３】
送信側において、少なくともＮ個又はｎ個から選択できる複数の周波数領域値入力を持つ高速フーリエ逆変換（ＩＦＦＴ）回路（１２’）と、
受信側において、少なくともＮ個又はｎ個から選択できる複数の周波数領域値出力を持つ高速フーリエ変換（ＦＦＴ）回路（２０’）とを有することを特徴とする請求項１又は２に記載のモデム。
【請求項４】
ｎ＝１２８、２５６又は５１２であることを特徴とする請求項１又は２に記載のモデム。
【請求項５】
送信側において、
前記トーンに対応するＮ個の周波数領域値入力を有する高速フーリエ逆変換（ＩＦＦＴ）回路（１２）であって、前記入力のなかで、最初のものだけが前記ｎ個の使用されるトーンに対応する値を受信し、残りの入力は、ゼロ化される回路と、
前記ＩＦＦＴ回路によって出力される、ｒ＝Ｎ／ｎであるｒ個のサンプルごとに１つのサンプルを提供するデシメータ（３０）と、
前記デシメータと加入者回線（１０）の間に結合されたデジタル−アナログ変換器（１４）とを含むことを特徴とする請求項１に記載のモデム。
【請求項６】
受信側において、
ＦがＩＦＦＴ回路の動作周波数である場合の周波数Ｆ／ｒで加入者回線上の信号をサンプリングするアナログ−デジタル変換器（２４）と、
前記アナログ−デジタル変換器によって提供された前記サンプルから、周波数Ｆでサンプルを生成する補間回路（３２）と、
周波数Ｆで動作し、かつ前記補間回路からサンプルを、時間領域等化器（２６）を介して受信する高速フーリエ変換回路（ＦＦＴ）とを含み、
Ｎ個すべてのトーンが使用されたとき、時間領域等化器がバイパスされることを特徴とする請求項５に記載のモデム。
【請求項７】
前記ＩＦＦＴ回路（１２’）は、
前記Ｎ個のトーンの最後のトーンの周波数および前記ｎ個のトーンの最後のトーンにそれぞれ比例する、少なくとも２つの値Ｆとｆｎのなかから選択可能な動作周波数とを有することを特徴とする請求項１又は２に記載のモデム。
【請求項８】
前記ＦＦＴ回路（２０’）は、
少なくとも値Ｆと値ｆｎのなかから選択可能な動作周波数とを有することを特徴とする請求項７に記載のモデム。
【請求項９】
ＩＦＦＴ回路およびＦＦＴ回路のそれぞれが、パイプライン・モードで動作するようにすべて結合されている５つの基数４のステージ（３４）を含み、前記回路の周波数領域入力または周波数領域出力の所望の数は、適切な数のステージをバイパスすることにより、選択されることを特徴とする請求項１又は２に記載のモデム。
【請求項１０】
ＩＦＦＴ回路およびＦＦＴ回路のそれぞれが、２と４のなかから選択可能な基数を有する最後のステージ（３６）を含み、前記回路の周波数領域入力または周波数領域出力の所望の数が、前記最後のステージの基数を選択することにより選択されることを特徴とする請求項１又は２に記載のモデム。
【請求項１１】
前記他の規格が、ＡＤＳＬ標準であることを特徴とする請求項１から１０のいずれか１項に記載のモデム。
【発明の詳細な説明】
【技術分野】
【０００１】
本発明は、対より線電話回線上での高速通信を可能にする離散マルチトーン（ＤＭＴ）ベースのデジタル加入者回線（ＤＳＬ）伝送システムに関する。この発明は、より詳細には、いくつかの既存の規格、または近く出現する規格を使用して、使用することが可能なＶＤＳＬ（Ｖｅｒｙ  ｈｉｇｈ  ｓｐｅｅｄ  ＤＳＬ）に関する。
【背景技術】
【０００２】
（関連技術の考察）
図１は、ＡＤＳＬ規格およびＡＤＳＬ−Ｌｉｔｅ（非対称ＤＳＬ）規格によって伝送される信号のスペクトルを示す。ＡＤＳＬ規格は、２５６トーンのそれぞれに対して、直交振幅変調（ＱＡＭ）を使用し、これらのトーンは、４．３１２５ｋＨｚおきの等間隔になっている。したがって、図示するとおり、最後のトーンは、１．１０４ＭＨｚという周波数を有する。ＡＤＳＬ−Ｌｉｔｅ規格は、最初の１２８トーンだけを使用する。
【０００３】
図示するとおり、スペクトルの始めで、「普通の従来型電話サービス（ｐｌａｉｎ  ｏｌｄ  ｔｅｌｅｐｈｏｎｅ  ｓｅｒｖｉｃｅ）」（ＰＯＴＳ）のためにギャップが残されている。
【０００４】
ＡＤＳＬ規格によれば、トーンのほとんどは、受信のために使用され、残りのいくつかのトーンが送信のために使用されており、このため、「非対称ＤＳＬ」と呼ばれている。
【０００５】
現行のＶＤＳＬ規格化提案は、１１．０４ＭＨｚまでの周波数の使用を考案する。
【０００６】
図２は、１９９７年９月２９日〜１０月３日、フランス国、Ｌａｎｎｉｏｎ、ＥＴＳＩ  ＳＴＣ／ＴＭ６、９７３Ｔ１３Ｒ０、「ＶＤＳＬ  Ａｌｌｉａｎｃｅ  ＳＤＭＴ  ＶＤＳＬ  Ｄｒａｆｔ  Ｓｔａｎｄａｒｄ  Ｐｒｏｐｏｓａｌ」に記載されるような、従来のＶＤＳＬ時間領域二重化（ＴＤＤ）システムによって送信される信号のスペクトルを図示している。このシステムは、それぞれ４３ｋＨｚまたは２１．５ｋＨｚおきの間隔の２５６トーンまたは５１２トーンを使用する。最後のトーンは１１．０４ＭＨｚという周波数を有する。すべてのトーンは、一度に同一伝送方向のために使用され、この伝送方向は、一伝送記号おきに切り替えられる。
【０００７】
図３は、特許出願ＷＯ９７／０６６１９に記載される従来のＶＤＳＬ「ジッパ」システムによって伝送される信号のスペクトルを図示している。これは、５．３７５ｋＨｚ間隔の２０４８トーンを使用し、最後のトーンは、やはり、１１．０４ＭＨｚという周波数を有している。このシステムでは、送信および受信のために使用されるトーンは、近端漏話および近端漏話エコーをキャンセルするために、動的に選択される。
【０００８】
図４は、電話回線１０の一終端にあるＤＳＬ伝送システムを非常に概略的に示している。高速フーリエ逆変換（ＩＦＦＴ）回路１２が、Ｎ個の複素周波数領域係数を受信し、ここでＮは、システムによって使用されるトーンの数、すなわち、ＡＤＳＬの場合、１２８または２５６、ＶＤＳＬ  ＴＤＤシステムの場合、２５６または５１２、ＶＤＳＬジッパ・システムの場合、２０４８である。ＩＦＦＴ回路１２は、Ｎ個の係数の各セットごとに、時間領域記号を生成する。記号は、したがって、それぞれトーンに対応している異なる周波数のＮ個の正弦副搬送波の合計である。各副搬送波の振幅および位相は、ＩＦＦＴ回路によって受信される対応する周波数領域係数によって決定される。記号は、デジタル−アナログ変換器１４および低域フィルタ１６によって処理されて、次に、電話回線１０上へと、混成回線インタフェース１８を介して転送される。
【０００９】
巡回プレフィックスおよび巡回サフィックスが、ＩＦＦＴ回路１２によって１９で出力される記号に追加される。巡回プレフィックスは、その間に回線の伝搬過渡状態が減衰する可能性のある保護期間を提供することによって、遠端受信側での記号間干渉を除去することを目的としている。巡回サフィックスは、近端エコーでの不連続性のサンプリングの効果をキャンセルすることを目的としている。
【００１０】
回線インタフェース１８は、また、回線１０からの着信記号も受信する。これらの着信記号は、高速フーリエ変換（ＦＦＴ）回路２０に、低域フィルタ２２、アナログ−デジタル変換器２４を介して、また必要な場合、時間領域量子化器２６を介して提供される。
【００１１】
前述の巡回プレフィックスは、その役割を果すために、記号長とは独立した最小長を有する。ＡＤＳＬおよびＶＤＳＬ  ＴＤＤなどの、比較的少ない数のトーンを使用するＤＳＬシステムでは、伝送される記号は短く、そのため、巡回プレフィックスの最小長は、あまりにも長く、データ伝送でかなりの効率損失を引起こす。この場合、巡回プレフィックスは、必要なより短く選択されて、記号間干渉の除去でこの短い巡回プレフィックスを補足するのは、時間領域等化器２６の役割となる。
【００１２】
ＶＤＳＬジッパ・システムなど、多数のトーンを使用するＤＳＬシステムでは、生成される記号は十分に長く、伝送の効率にあまり影響を与えることなしに、巡回プレフィックスを必要な長さで選択することができる。こうしたシステムでは、時間領域等化器２６は省略される。
【００１３】
さらに、ＶＤＳＬ  ＴＤＤシステムでは、ＩＦＦＴ回路およびＦＦＴ回路は、決して同時に使用されないので、その両方の機能を実行するのは単一の回路である。
【００１４】
ＩＦＦＦおよびＦＦＴ回路は、システムによって使用される最後のトーンの周波数の少なくとも２倍、すなわち、ＡＤＳＬ−Ｌｉｔｅの場合、１．１０４ＭＨｚ、ＡＤＳＬの場合、２．２０８ＭＨｚ、既知のＶＤＳＬシステムの場合、２２．０８ＭＨｚで動作する。
【００１５】
【特許文献１】国際公開第９７／０６６１９号パンフレット
【発明の開示】
【発明が解決しようとする課題】
【００１６】
ＡＤＳＬ規格および近く出現する規格がいろいろな意味（使用されるトーンの数、トーン間の間隔、ＩＦＦＴ回路およびＦＦＴ回路の動作周波数．．．）で異なっていることは明らかであり、これは、これらの規格を活用することができる型のモデムの数を増大させる可能性が高い。
【００１７】
（発明の概要）
本発明の目的は、単一モデムが、低い複雑さで多くのＤＳＬ規格を活用できるようにする伝送システム用モデムを提供することである。
【課題を解決するための手段】
【００１８】
この目的および他の目的を達するため、本発明は、いくつかの等間隔の離散トーン上でＱＡＭ変調を使用するデジタル加入者回線伝送システム用モデムを提供する。高い伝送速度で、このシステムは、４．３１２５ｋＨｚ＊ｑ間隔のＮ＝４０９６／ｐトーンを使用し、ここでｐ及びｑは、２の累乗（ｐ＝１、２、４、８．．．；ｑ＝１、２、４、８．．．）である。
【００１９】
本発明の一実施形態によれば、ｎ＝１２８トーン、２５６トーン又は５１２トーンが使用される。
【００２０】
本発明の一実施形態によれば、モデムは、送信側で、前記トーンに対応するＮ個の周波数領域値入力を有する高速フーリエ逆変換回路であって、その入力のなかで最初のものだけが、ｎ個の使用されるトーンに対応する値を受信し、残りの入力は、ゼロ化される回路と、ＩＦＦＴ回路によって出力される、ｒ＝Ｎ／ｎであるｒ個のサンプルごとに１つのサンプルを提供するデシメータ（ｄｅｃｉｍａｔｏｒ）と、前記デシメータと加入者回線の間に結合されたデジタル−アナログ変換器とを含む。
【００２１】
本発明の一実施形態によれば、モデムは、受信側で、ＦがＩＦＦＴ回路の動作周波数である周波数Ｆ／ｒで加入者回線上の信号をサンプリングするアナログ−デジタル変換器と、前記アナログ−デジタル変換器によって提供された前記サンプルから、周波数Ｆでサンプルを生成する補間回路と、周波数Ｆで動作し、かつ前記補間回路からサンプルを、時間領域等化器を介して受信する高速フーリエ変換回路とを含む。すべてのＮ個のトーンが使用されたとき、時間領域等化器は、バイパスされる。
【００２２】
本発明の一実施形態によれば、モデムは、Ｎ個のトーンのなかで、最初のｎ個のトーンを使用する規格に適用可能であり、ここで、ｎは、２の累乗である。これは、送信側で、少なくとも値Ｎと値ｎのなかから選択可能ないくつかの周波数領域入力と、高い伝送速度で、Ｎ個のトーンの最後のトーンの周波数およびｎ個のトーンの最後のトーンにそれぞれ比例する、少なくとも２つの値Ｆとｆｎのなかから選択可能な動作周波数とを有するＩＦＦＴ回路を含む。
【００２３】
本発明の一実施形態によれば、モデムは、受信側で、少なくとも値Ｎと値ｎのなかから選択可能ないくつかの周波数領域出力と、少なくとも値Ｆと値ｆｎのなかから選択可能な動作周波数とを有するＦＦＴ回路を含む。
【００２４】
本発明の一実施形態によれば、ＩＦＦＴ回路およびＦＦＴ回路のそれぞれは、パイプライン・モードで動作するように結合された５つの基数４のステージおよび最後の基数２または基数４のステージを含み、前記回路の周波数領域入力または周波数領域出力の所望の数が、適切な数のステージをバイパスすることにより、かつ前記最後のステージの基数を選択することにより選択される。
【発明を実施するための最良の形態】
【００２５】
本発明の前述の目的および他の目的、特徴、態様、および利点は、付随する図面を参照し、制限としてではなく例として提供している実施形態の下記の詳細な説明から明白となる。
【００２６】
（詳細な説明）
図５のスペクトルによって図示されるとおり、本発明の一態様は、従来のＶＤＳＬシステムで使用される最大周波数、すなわち１１．０４に近づくために、ＡＤＳＬ−Ｌｉｔｅ伝送のスペクトルを拡張することである。トーンの数は、従来のアーキテクチャのＩＦＦＴ回路およびＦＦＴ回路と適合するために、２の累乗でなければならない。図５の実施形態では、本発明は、４．３１２５ｋＨｚ間隔の４０９６トーンを使用し、このため、最後のトーンは、１７．６６４ＭＨｚという周波数を有する。２０４８トーンを使用することによって、最後のトーンは、８．８３２ＭＨｚという周波数を有することになり、このため、１１．０４ＭＨｚという考案された限界までのトーンを使用するシステムに対して、伝送速度が相当に低減される。
【００２７】
本発明の一態様は、２０４８トーンまたは４０９６トーンを使用するそうしたシステムが、同一間隔で、１２８または２５６（ＡＤＳＬ−Ｌｉｔｅ、ＡＤＳＬ）など、より少ないトーンを使用する任意の規格を使用して、即時に使用可能であることに留意することである。
【００２８】
上記の解決策を備えたＡＤＳＬ規格またはＡＤＳＬ−Ｌｉｔｅ規格によってデータを伝送するには、対応する係数をＩＦＦＴ回路の第１周波数領域入力に提供することにより、かつ、残りの入力をゼロ化することによって、最初の１２８トーンまたは２５６トーンを使用するだけで十分である。受信モードでは、ＦＦＴ回路は、その最初の１２８個の出力または２５６個の出力に対する所望の係数を抽出し、残りの係数は、ゼロとなっている。
【００２９】
伝送システムに加えるべき唯一の変更は、有効デジタルデータ伝送の低い速度をＩＦＦＴ回路およびＦＦＴ回路の固定の高い動作速度に適合するために、ゼロ埋込み回路および埋込み解除回路を提供することである。
【００３０】
ただし、そうしたシステムの欠点は、それが、最高伝送速度に適合された最高周波数で動作するが、他方、有効データ伝送速度は、それよりずっと低い可能性があることである。これは、アナログ前端の不必要な余分の電力消費を引起こす。
【００３１】
図６は、前述のとおり動作し、さらに、電力消費を抑えるための回路をさらに具備している伝送システムの実施形態を示している。例として、このシステムは、４０９６トーンを使用して動作するものとし、２５６トーンのみを使用するＡＤＳＬ規格で使用される。図示するとおり、ＩＦＦＴ回路１２の最初の２５６個の入力およびＦＦＴ回路２０の最初の２５６個の出力のみが使用される。
【００３２】
ＩＦＦＴ回路およびＦＦＴ回路は、３５．２２８ＭＨｚ、すなわち、４０９６トーンの最後のトーンの周波数の２倍で動作する。ＩＦＦＴ回路１２は、したがって、３５．２２８ＭＨｚでサンプルを生成する。これらのサンプルは、デシメータ３０に提供されて、これが、毎１６番目のサンプルのみをデジタル−アナログ変換器１４に提供する。したがって、デジタル−アナログ変換器１４は、１６倍遅く、すなわち２．２０８ＭＨｚで動作する。もちろん、低域フィルタ１６および２２のカットオフ周波数は、デジタル−アナログ変換器１４の周波数に適合されている。
【００３３】
アナログ−デジタル変換器２４は、受信信号を１６倍遅く、すなわち２．２０８ＭＨｚでサンプリングするように計時され、このサンプルが補間回路３２に提供されて、この回路が、欠落しているサンプルを生成して、３５．２２８ＭＨｚでＦＦＴ回路２０に提供する。
【００３４】
前記の例を使用すると、変換器１４および２４によって消費される電力が、相当に抑えられる。この電力消費は、ＡＤＳＬ−Ｌｉｔｅ規格がこのシステムで使用される場合、さらに抑えられることになる。
【００３５】
システムがその最高伝送速度で使用されるとき、デシメータ３０および補間回路３２は、スイッチによって示されるとおり、バイパスされ、アナログ−デジタル変換器２４は、ＩＦＦＴ回路およびＦＦＴ回路と同一速度、すなわちこの例では３５．２２８ＭＨｚに計時される。
【００３６】
本発明の第２実施形態の目的は、システムが低い伝送速度で使用されるときに、電力消費をさらに抑えることである。
【００３７】
電力消費を抑えるため、ＩＦＦＴ回路およびＦＦＴ回路の動作周波数を、図６のアナログ−デジタル変換器２４のクロック周波数のような、有効使用される伝送速度に適合することも役立つことになる。ただし、ＩＦＦＴ回路およびＦＦＴ回路の動作周波数を変更することによって、トーンの間隔もまた変更され、これは望ましくない。
【００３８】
これを回避するため、本発明は、可変サイズのＩＦＦＴ回路およびＦＦＴ回路を提供し、このことは、システムによって使用されるトーンの数を可変にすることと等価である。したがって、ＩＦＦＴ回路およびＦＦＴ回路のサイズが、ファクタｋだけ縮小された場合、トーン間の間隔を維持するには、ＩＦＦＴ回路およびＦＦＴ回路の動作速度を低減するだけで十分である。図６の例では、トーンの数は、ファクタ１６だけ削減されることになり、このため、ＩＦＦＴ回路およびＦＦＴ回路は、１６倍遅く、すなわち２．２０８ＭＨｚで動作することになり、これは、アナログ−デジタル変換器２４と同一の周波数である。デシメータ３０および補間回路３２は、不必要である。
【００３９】
このシステムを使用すると、総電力消費は、システム上で使用される有効伝送速度に実質的に比例することになる。
【００４０】
予想され得ることに反して、ＩＦＦＴ回路またはＦＦＴ回路の入力または出力の数を可変にすることは、その数が２の累乗にとどまる場合、特に単純である。
【００４１】
図７は、入力の数を可変にするために本発明によって変更された、従来のパイプライン型のＩＦＦＴ回路を概略的に図示している。このＩＦＦＴ回路は、５つのパイプライン処理された基数４のステージ３４と、それに続く基数２と基数４の間で切り替え得る最後のステージ３６とを含んでいる。ＩＦＦＴ回路の周波数領域入力の数は、これらのステージの基数の積に等しい。最後のステージが基数２である場合、ＩＦＦＴ回路は、２０４８個の入力を有し、他方、最後のステージが基数４である場合、ＩＦＦＴ回路は、４０９６個の入力を有する。
【００４２】
好ましくは、最後のステージ３６は、スイッチ信号Ｒ２によって、基数４動作モードまたは基数２動作モードの間で切り替えることができる。この目的で、このステージは、完全基数４であり、基数２モードで動作するために、ステージの適切な要素がバイパスされる。
【００４３】
各ステージは、複素係数をデジタル・データ伝送速度で受信し、提供する。各複素係数は、第１ステージの入力で１つのデータ・ワードに対応しており、２つのそれぞれのサイクルで処理される実部と虚部を有し、したがって、ＩＦＦＴ回路の動作周波数は、データ伝送速度の２倍である。この動作周波数は、クロック信号ＣＫによって設定される。
【００４４】
基数４のステージは、４つの連続する係数に対して動作し、他方、基数２のステージは、２つの連続する係数に対してのみ動作する。最後のステージ３６によって提供される各係数は、複素−実変換器３８によって、２つの時間領域サンプルに変換される。
【００４５】
各ステージに対応する入力の数は、図７では、ステージの一番下に示され、第１値は、最後のステージ３６が基数２であるときの入力の数であり、第２値は、最後のステージ３６が基数４であるときの入力の数である。したがって、ＩＦＦＴ回路の入力の数が、この回路の最初の１つまたは複数のステージをバイパスすることにより、かつ最後のステージ３６の基数を適切に選択することによって選択可能であることが、明確になっている。
【００４６】
ＡＤＳＬ−Ｌｉｔｅ規格の場合、ＩＦＦＴ回路の最初の２つのステージ３４が、マルチプレクサ４０によってバイパスされ、最後のステージ３６の基数が２に等しく選択されて、クロックＣＫは、１．１０４ＭＨｚという周波数を有する。
【００４７】
ＡＤＳＬ規格の場合、ＩＦＦＴ回路の最初の２つのステージ３４が、マルチプレクサ４０によって、やはりバイパスされ、最後のステージ３６の基数が４に等しく選択されて、クロックＣＫの周波数は、２．２０８ＭＨｚに等しく選択される。
【００４８】
図５による２０４８トーンを有するＶＤＳＬ伝送の場合、ステージのいずれもバイパスされず、最後のステージ３６の基数は、２に等しく選択されて、クロックＣＫの周波数は、１７．６６４ＭＨｚに等しく選択される。
【００４９】
図５による４０９６トーンを有するＶＤＳＬ伝送の場合、ステージのいずれもバイパスされず、最後のステージ３６の基数は、２に等しく選択されて、クロックＣＫの周波数は、１７．６６４ＭＨｚに等しく選択される。
【００５０】
ＶＤＳＬ−ＴＤＤ伝送は、２２ＭＨｚではなく、１７．６６４ＭＨｚまたは３５．３２８ＭＨｚという最大周波数を使用するように変更されることになる。
【００５１】
５１２トーンを有するそうした変更済みＶＤＳＬ−ＴＤＤ伝送の場合、第１ステージ３４が、マルチプレクサ４２によってバイパスされ、最後のステージ３６の基数は、２に等しく選択される。
【００５２】
２５６トーンを有するそうした変更済みＶＤＳＬ−ＴＤＤ伝送の場合、最初の２つのステージ３４が、マルチプレクサ４０によってバイパスされ、最後のステージ３６の基数は、４に等しく選択される。
【００５３】
最後に、４０９６トーンを有する図５のＶＤＳＬ伝送の場合、ステージのいずれもバイパスされず、最後のステージ３６の基数は、４に等しく選択され、クロックＣＫの周波数は、３５．３２８ＭＨｚに等しく選択される。
【００５４】
選択可能な数の出力を有するＦＦＴ回路は、図７のＩＦＦＴ回路と同一の方式で構成される。違いは、第１ステージの前に実−複素変換器が置かれていることであり、この変換器が、各複素係数の実部と虚部を逆の順序で提供する。その初期の順序が、最後のステージの出力で再確立され、このステージの後に、複素−実変換器は置かれていない。
【００５５】
パイプラインＩＦＦＴ回路およびパイプラインＦＦＴ回路に関するさらなる情報は、例えば、Ｐｉｄｅｔ，Ｃａｓｔｅｌｉｎ，Ｓｅｎｎ，Ｂｌａｎｃ著，ＩＥＥＥ  Ｊｏｕｒｎａｌ  ｏｆ  Ｓｏｌｉｄ  Ｓｔａｔｅ  Ｃｉｒｃｕｉｔｓ，Ｖｏｌ．３０，Ｎｏ３，１９９５年３月、「Ａ  Ｆａｓｔ  Ｓｉｎｇｌｅ−Ｃｈｉｐ  Ｉｍｐｌｅｍｅｎｔａｔｉｏｎ  ｏｆ  ８１９２  Ｐｏｉｎｔｓ  ＦＦＴ」で見ることができる。
【００５６】
ＶＤＳＬ−ＴＤＤモデムおよびＶＤＳＬ「ジッパ」モデムの場合、トーンは、モデム識別署名を伝送するために、初期フェーズで使用することが考案されている。言い換えれば、伝送モデムは、通信を確立する前に、規格に応じて可能なトーンのなかから選択された特定のトーンを搬送する信号、つまり「裸の」搬送波を送信することになる。受信モデムは、その信号内にどのトーンが存在するかを検出して、それに応じて規格を識別することになる。この目的で、受信モデムは、最初から伝送モデムに対して「同調されている」、すなわち、少なくとも伝送モデムによって使用されるトーンを使用しなければならない。ＶＤＳＬジッパ・モデムの８番目ごとのトーン、または４番目ごとのトーンが、ＶＤＳＬ−ＴＤＤモデムによって使用されており、このため、署名として、ＶＤＳＬ−ＴＤＤシステムの２５６トーンまたは５１２トーンのみが使用される場合、そうした識別フェーズが可能である。
【００５７】
ＡＤＳＬモデムが、連続トーンを使用して署名を送信しなければならない場合、本発明によるモデムは、図５と整合性がなければならない、すなわち、４．３１２５ｋＨｚというトーン間隔を使用しなければならない。ただし、署名はまだ、規格化されていないので、ＡＤＳＬモデムが、ｐが２の累乗であるｐ番目ごとのトーンのみを使用して署名を送信することを、考案することが可能である。この場合、本発明による可変サイズのＩＦＦＴ回路およびＦＦＴ回路を有するモデムは、初期に、４．３１２５ｐｋＨｚというトーン間隔および２０４８／ｐトーンまたは４０９６／ｐトーンを使用して、遠隔ＡＤＳＬモデムの識別時に、４．３１２５ｋＨｚという間隔を有する１２８トーンまたは２５６トーンに切り替えることが可能である。
【００５８】
図８は、前述のＩＦＦＴ回路１２’およびＦＦＴ回路２０’を組み込んだ汎用ＤＳＬモデムのアーキテクチャを部分的かつ概略的に示している。前の図で示した要素は、同一の参照文字で指定している。ＩＦＦＴ回路１２’の前には、マッピング器５０が置かれ、これが、複素係数を発信されるデジタル・ワードに関連付ける。また、巡回プレフィックスおよび巡回サフィックスを、ＩＦＦＴ回路１２’によって提供される記号に追加する回路１９が、パルス整形を実現する。時間領域等化器２６によってＦＦＴ回路２０’に提供されるデータに対するウインドウ操作、つまり周波数加重平均が、５２で実現される。ＦＦＴ回路２０’の出力は、周波数領域等化器５４、無線周波数干渉キャンセラ５６、マッピング器５０の逆機能を実現するマッピング解除器５８によって、逐次的に処理される。
【００５９】
ＩＦＦＴ回路１２’およびＦＦＴ回路２０’は、図７に関連して前述したとおり、コントローラ６０によって制御される。また、コントローラ６０が、アナログ−デジタル変換器２４のサンプリング周波数をＩＦＦＴ回路およびＦＦＴ回路の動作周波数に設定する。さらに、コントローラ６０は、システムによって使用されるトーンの数が、２０４８または４０９６に等しくなったとき、スイッチによって示されるとおり、時間領域等化器２６および無線周波数干渉キャンセラ２６をバイパスする。
【００６０】
さらなる説明をしない図８のアーキテクチャの要素は、従来のものであり、ＡＤＳＬまたはＡＤＳＬ−Ｌｉｔｅなど、既存の規格（Ｓｔａｎｄａｒｄ  Ｔ１．４１３で開示される）に対するモデム内で見ることができる。
【００６１】
そうした変更、改変、または改良は、本開示の一部であるものとし、本発明の趣旨および範囲内にあるものとする。したがって、前記の説明は、例としてのみのものであり、制限することを意図しない。本発明は、頭記の請求項およびそれに相当するのもののなかで定義されるとおりにのみ、制限される。
【図面の簡単な説明】
【００６２】
【図１】ＡＤＳＬ規格およびＡＤＳＬ−Ｌｉｔｅ規格によって伝送される信号のスペクトルを示す前述の図である。
【図２】従来のＶＤＳＬ−ＴＤＤシステム内で送信される信号のスペクトルを示す前述の図である。
【図３】従来のＶＤＳＬ「ジッパ」システム内で伝送される信号のスペクトルを示す前述の図である。
【図４】ＤＳＬ伝送システムを部分的かつ概略的に示す図である。
【図５】本発明によるＶＤＳＬシステムの一実施形態で伝送される信号のスペクトルを示す図である。
【図６】ＡＤＳＬ規格およびＡＤＳＬ−Ｌｉｔｅ規格に適合可能な、本発明によるＶＤＳＬシステムの実施形態を部分的かつ概略的に示す図である。
【図７】本発明によるＶＤＳＬシステム内で使用されるＩＦＦＴ回路の実施形態を概略的に示す図である。
【図８】図７によるＩＦＦＴ回路およびＦＦＴ回路を組み込んだ、本発明による汎用ＤＳＬモデムのアーキテクチャを概略的に示す図である。
【符号の説明】
【００６３】
１０  電話回線
１２、１２’  高速フーリエ逆変換回路
１４  デジタル−アナログ変換器
１６、２２  低域フィルタ
１８  混成回線インタフェース
２０、２０’   高速フーリエ変換回路
２４  アナログ−デジタル変換器
２６  時間領域等化器
３０  デシメータ
３２  補間回路
３４、３６  ステージ
３８  複素−実変換器
４０、４２  マルチプレクサ
５０  マッピング器
５４  周波数領域等化器
５６  無線周波数干渉キャンセラ
５８  マッピング解除器
６０  コントローラ
【図１】
2004328797.tif 000003
【図２】
2004328797.tif 000004
【図３】
2004328797.tif 000005
【図４】
2004328797.tif 000006
【図５】
2004328797.tif 000007
【図６】
2004328797.tif 000008
【図７】
2004328797.tif 000009
【図８】
2004328797.tif 000010